(57)【要約】      （修正有）【課題】システム資産の動作を監視するための方法および装置を提供する。【解決手段】システム資産の動作を監視する際に使用するためのデバイスは、表示デバイス１３２と、表示デバイスに結合されるプロセッサ１２４を含む。プロセッサは、システム資産の第１の動作特性の第１のプロットを、第２の動作特性の関数として、第１のプロットを表示するためのユーザ選択に応答して表示し、システム資産の第１の動作特性の基準グラフィカルプロットを、第２の動作特性の関数として、第１のプロットの上部にある状態で表示し、かつ、ユーザが第２のプロットを選択したときに、表示デバイス上での基準グラフィカルプロットの表示を維持するように構成される。基準グラフィカルプロットは、第２のプロットの上部にある状態で表示される。【選択図】図１
2013225303.tif 000002
【特許請求の範囲】
【請求項１】
システム資産の動作を監視する際に使用するためのデバイスであって、
表示デバイスと、
前記表示デバイスに結合されるプロセッサとを備え、前記プロセッサが、
前記表示デバイス上で、前記システム資産の第１の動作特性の複数のグラフィカルプロットの第１のプロットを、第２の動作特性の関数として、前記複数のグラフィカルプロットの前記第１のプロットを表示するためのユーザ選択に応答して表示し、
前記表示デバイス上で、前記システム資産の前記第１の動作特性の基準グラフィカルプロットを、前記第２の動作特性の関数として、前記複数のグラフィカルプロットの前記第１のプロットの上部にある状態で表示し、かつ、
前記ユーザが前記複数のグラフィカルプロットの第２のプロットを選択したときに、前記表示デバイス上での前記基準グラフィカルプロットの前記表示を維持するように構成され、前記基準グラフィカルプロットが、前記第２のプロットの上部にある状態で表示される、デバイス。
【請求項２】
システム資産に対する基準データ、および前記システム資産に関連する測定データを記憶するように構成されるメモリデバイスをさらに備え、前記プロセッサが、
前記システム資産に関する前記測定データに基づいて、異なる期間に各々が対応する前記複数のグラフィカルプロットを生成し、かつ、
前記記憶した基準データに基づいて、前記基準グラフィカルプロットを生成するように
さらに構成されている、請求項１記載のデバイス。
【請求項３】
前記プロセッサが、前記表示デバイス上で、前記第１のグラフィカルプロットとともに前記第２のプロットを、前記ユーザによる前記第１のプロットの前記選択に応答して表示するように構成され、前記第１のプロットが第１の期間に対応し、前記第２のプロットが第２の期間に対応する、請求項２記載のデバイス。
【請求項４】
前記第２の期間が、前記第１の期間に対する次の期間であり、前記次の期間に対して１つのグラフィカルプロットが、前記複数のグラフィカルプロットの中で利用可能である、請求項３記載のデバイス。
【請求項５】
前記プロセッサが、前記表示デバイス上で、前記ユーザによる前記第１のプロットの前記選択に応答して、前記複数のグラフィカルプロットから、前記プロセッサにより選択される複数の追加的なプロットを選択かつ表示するように構成され、前記第１のプロットが第１の期間に対応し、前記追加的なプロットが２つ以上の追加的な期間に対応する、請求項１記載のデバイス。
【請求項６】
前記複数の追加的なプロットが、前記第２のプロットを含む、請求項５記載のデバイス。
【請求項７】
前記プロセッサが、前記ユーザが前記第２のプロットを選択したときに、前記第２のプロットの上部にあるように、前記表示デバイス上での前記基準グラフィカルプロットの前記表示を移動させるように構成されている、請求項６記載のデバイス。
【請求項８】
前記プロセッサが、前記ユーザが前記第２のプロットを選択したときに、前記表示デバイス上で前記基準グラフィカルプロットの下部にあるように、前記第２のプロットを移動させるように構成されている、請求項６記載のデバイス。
【請求項９】
前記プロセッサが、選択した測定データを前記システム資産に対する前記基準データとして記憶するためのユーザ選択に応答して、前記メモリデバイスに、前記選択した測定データを前記システム資産に対する前記基準データとして記憶するように構成されている、請求項２記載のデバイス。
【請求項１０】
システム資産の動作を監視する際に使用するためのデバイスであって、
表示デバイスと、
前記表示デバイスに結合されるプロセッサとを備え、前記プロセッサが、
前記表示デバイス上で、前記システム資産の第１の動作特性の複数のグラフィカルプロットの第１のプロットを、第２の動作特性の関数として、前記複数のグラフィカルプロットの前記第１のプロットを表示するためのユーザ選択に応答して表示し、
前記表示デバイス上で、前記システム資産の前記第１の動作特性の基準グラフィカルプロットを、前記第２の動作特性の関数として、前記複数のグラフィカルプロットの前記第１のプロットの上部にある状態で表示し、
前記表示デバイス上で、前記第２の動作特性の第１の選択した値での、前記第１のプロットの前記第１の動作特性と前記基準グラフィカルプロットとの間の差の第１の表現を、前記第２の動作特性の前記選択した値のユーザ選択に応答して表示し、かつ、
前記表示デバイス上で、前記第２の動作特性の前記第１の選択した値での、前記複数のグラフィカルプロットの第２のプロットの前記第１の動作特性と前記基準グラフィカルプロットとの間の差の第２の表現を、前記第２のプロットのユーザ選択に応答して表示するように
構成されている、デバイス。
【請求項１１】
前記プロセッサが、前記第２の動作特性の前記第１の選択した値での、前記第１のプロットの前記第１の動作特性と前記基準グラフィカルプロットとの間の差を、前記第２の動作特性の前記第１の選択した値の前記ユーザ選択に応答して決定するように構成されている、請求項１０記載のデバイス。
【請求項１２】
前記プロセッサが、前記表示デバイス上で、前記第２の動作特性の前記第１の選択した値での、前記第１のプロットの前記第１の動作特性と前記基準グラフィカルプロットとの間の前記差の大きさを表示するように構成されている、請求項１１記載のデバイス。
【請求項１３】
前記第２の動作特性の前記第１の選択した値での、前記第１のプロットの前記第１の動作特性と前記基準グラフィカルプロットとの間の前記差の前記第１の表現が、前記第２の動作特性の前記第１の選択した値での、前記第１のプロットの前記第１の動作特性と前記基準グラフィカルプロットとの間の前記差の前記大きさを含む、請求項１２記載のデバイス。
【請求項１４】
前記プロセッサが、前記第２の動作特性の第２の選択した値での、前記基準グラフィカルプロットの第１の動作特性の値の基準線を、前記第２の選択した値の前記ユーザ選択に応答して表示するように構成され、前記基準線の表示が、前記第１のプロットから少なくとも前記第２のプロットまで延びる、請求項１０記載のデバイス。
【請求項１５】
前記プロセッサが、前記第２の動作特性の前記第２の選択した値での、前記第１および第２のプロットの前記第１の動作特性と前記基準グラフィカルプロットとの間の差の表現を表示するように構成されている、請求項１４記載のデバイス。
【請求項１６】
システム資産の動作を監視する際に使用するための方法であって、
表示デバイス上で、前記システム資産の第１の動作特性の第１のプロットを、第２の動作特性の関数として、前記第１のプロットを表示するためのユーザ選択に応答して表示するステップと、
前記表示デバイス上で、前記システム資産の前記第１の動作特性の基準グラフィカルプロットを、前記第２の動作特性の関数として、複数のグラフィカルプロットの前記第１のプロットの上部にある状態で表示するステップと、
前記ユーザが前記複数のグラフィカルプロットの第２のプロットを選択したときに、前記表示デバイス上での前記基準グラフィカルプロットの前記表示を維持するステップであって、前記基準グラフィカルプロットが、前記第２のプロットの上部にある状態で表示されるステップと
を含む、方法。
【請求項１７】
前記システム資産に関する測定データに基づいて、複数のグラフィカルプロットを生成するステップであって、前記複数のグラフィカルプロットの各々が、異なる期間に対応し、前記複数のグラフィカルプロットが、前記第１のプロットを含むステップと、
記憶した基準データに基づいて、前記基準グラフィカルプロットを生成するステップと
をさらに含む、請求項１６記載の方法。
【請求項１８】
前記表示デバイス上で、前記ユーザによる前記第１のプロットの前記選択に応答して、前記複数のグラフィカルプロットから、複数の追加的なプロットを表示するステップであって、前記第１のプロットが第１の期間に対応し、前記追加的なプロットが２つ以上の追加的な期間に対応するステップ
をさらに含む、請求項１７記載の方法。
【請求項１９】
前記ユーザが前記第２のプロットを選択したときに、前記第２のプロットの上部にあるように、前記表示デバイス上での前記基準グラフィカルプロットの前記表示を移動させるステップ
をさらに含む、請求項１８記載の方法。
【請求項２０】
前記ユーザが前記第２のプロットを選択したときに、前記表示デバイス上で前記基準グラフィカルプロットの下部にあるように、前記第２のプロットを移動させるステップ
をさらに含む、請求項１８記載の方法。
【発明の詳細な説明】
【技術分野】
【０００１】
本出願は、一般にシステムに関し、より詳細には、システム資産の動作を監視する際に使用するための方法および装置に関する。
【背景技術】
【０００２】
少なくとも一部の既知の電力システムは、発電機、モータ、送風機、および／または他の構成要素など複数の構成要素を含む。そのような構成要素は、発電プラントまたは工場など建物の内部に配置されることが多い。ユーザが所望の構成要素を突き止める、および／または所望の構成要素にたどり着くのが困難となり得るほど多数の構成要素を、建物が含む場合がある。例えば所望の構成要素は、所望の構成要素が容易に見えないように、別の構成要素の後ろに配置される場合があり、および／または別の構成要素によりわかりにくい場合がある。
【０００３】
システム構成要素の監視を容易にするために、少なくとも一部の既知のシステムは、システム構成要素の仮想表現を使用してモデル化されている。そのようなモデルは、システム構成要素の表現を含む場合があり、構成要素のステータスを表示する場合がある。しかしながら多くの場合、そのようなモデルは、所望の情報が不明確になり得るほど情報を多く含みすぎる。例えば、構成要素が警報状態に入る場合、その構成要素のステータスが、他のシステム構成要素のステータス情報により影にされる、またはわかりにくい場合がある。
【先行技術文献】
【特許文献】
【０００４】
【特許文献１】米国特許出願公開第２００９／０１６２１８６号明細書
【発明の概要】
【０００５】
一実施形態では、システム資産の動作を監視する際に使用するためのデバイスは、表示デバイスと、表示デバイスに結合されるプロセッサとを含む。プロセッサは、表示デバイス上で、システム資産の第１の動作特性の複数のグラフィカルプロットの第１のプロットを、第２の動作特性の関数として、複数のグラフィカルプロットの第１のプロットを表示するためのユーザ選択に応答して表示し、表示デバイス上で、システム資産の第１の動作特性の基準グラフィカルプロットを、第２の動作特性の関数として、複数のグラフィカルプロットの第１のプロットの上部にある状態で表示し、かつ、ユーザが複数のグラフィカルプロットの第２のプロットを選択したときに、基準グラフィカルプロットが、第２のプロットの上部にある状態で表示されるように、表示デバイス上での基準グラフィカルプロットの表示を維持するように構成される。
【０００６】
別の実施形態では、システム資産の動作を監視する際に使用するためのデバイスは、表示デバイスと、表示デバイスに結合されるプロセッサとを含む。プロセッサは、表示デバイス上で、システム資産の第１の動作特性の複数のグラフィカルプロットの第１のプロットを、第２の動作特性の関数として、複数のグラフィカルプロットの第１のプロットを表示するためのユーザ選択に応答して表示し、表示デバイス上で、システム資産の第１の動作特性の基準グラフィカルプロットを、第２の動作特性の関数として、複数のグラフィカルプロットの第１のプロットの上部にある状態で表示し、表示デバイス上で、第２の動作特性の第１の選択した値での、第１のプロットの第１の動作特性と基準グラフィカルプロットとの間の差の第１の表現を、第２の動作特性の選択した値のユーザ選択に応答して表示し、かつ、表示デバイス上で、第２の動作特性の第１の選択した値での、複数のグラフィカルプロットの第２のプロットの第１の動作特性と基準グラフィカルプロットとの間の差の第２の表現を、第２のプロットのユーザ選択に応答して表示するように構成される。
【０００７】
さらに別の実施形態では、システム資産の動作を監視する際に使用するための方法は、表示デバイス上で、システム資産の第１の動作特性の第１のプロットを、第２の動作特性の関数として、第１のプロットを表示するためのユーザ選択に応答して表示するステップと、表示デバイス上で、システム資産の第１の動作特性の基準グラフィカルプロットを、第２の動作特性の関数として、複数のグラフィカルプロットの第１のプロットの上部にある状態で表示するステップと、ユーザが複数のグラフィカルプロットの第２のプロットを選択したときに、表示デバイス上での基準グラフィカルプロットの表示を維持するステップであって、基準グラフィカルプロットが、第２のプロットの上部にある状態で表示されるステップとを含む。
【図面の簡単な説明】
【０００８】
【図１】複数のシステム資産を含む例示的なシステムのブロック図である。
【図２】図１に示すシステムにより生成され得る例示的な表示のブロック図である。
【図３】ユーザが異なるプロットを選択した後の図１に示す例示的な表示の図である。
【図４】図１に示すシステムにより生成され得る別の例示的な表示の図である。
【発明を実施するための形態】
【０００９】
図１は、複数のシステム資産１０２を含む例示的なシステム１００のブロック図である。例示的な実施形態では、システム１００は、工場、工業用のシステムもしくは施設、製作所（ｍｉｌｌ）、精製所（ｒｅｆｉｎｅｒｙ）、製造施設、発電のプラントもしくは施設、および／または、複数のシステム資産１０２を含む任意の他のシステムであり得る、またはそれらを含み得る。システム資産１０２は、機械、モータ、発電機、ポンプ、送風機、コンピュータのシステムもしくはデバイス、センサ、および／または、システム１００が本明細書で説明するように機能することを可能にする任意の他のデバイスもしくは機械を含み得るが、それらのみを含むようには限定されない。
【００１０】
例示的な実施形態では、少なくとも１つのセンサ１０４が、少なくとも１つのシステム資産１０２に、資産１０２の動作状況を測定する際に使用するために結合される。例えば資産１０２が回転機械である場合、センサ１０４は、機械の駆動軸の振動、駆動軸の回転の周波数もしくは速度、機械の温度、機械内部の圧力、および／または、システム１００内部の、もしくはシステム１００に結合される、任意の構成要素もしくはデバイスの任意の他の動作状況を測定してもよい。
【００１１】
システム１００は、データ取得デバイス１０６、およびデータ取得デバイス１０６に結合されるコンピューティングデバイス１０８をさらに含む。例示的な実施形態では、データ取得デバイス１０６は、１つまたは複数のメモリデバイス１１２、センサインターフェース１１４（入力と呼ぶ場合もある）、通信インターフェース１１６、および、１つまたは複数のデータベース１１８に結合されるプロセッサ１１０を含む。
【００１２】
プロセッサ１１０は、１つまたは複数のシステム、ならびに、マイクロコントローラ、マイクロプロセッサ、縮小命令セット回路（ＲＩＳＣ）、特定用途向け集積回路（ＡＳＩＣ）、プログラマブル論理回路（ＰＬＣ）、フィールドプログラマブルゲートアレイ（ＦＰＧＡ）、および、本明細書で説明する機能を実行可能な任意の他の回路を含む、任意の適したプログラマブル回路を含む。上記の例は、単に例示的であり、したがって用語「プロセッサ」の定義および／または意味を限定することは決して意図されない。
【００１３】
メモリデバイス１１２は、限定はしないが、ランダムアクセスメモリ（ＲＡＭ）、フラッシュメモリ、ハードディスクドライブ、ソリッドステートドライブ、ディスケット、フラッシュドライブ、コンパクトディスク、デジタルビデオディスク、および／または任意の適したメモリなどコンピュータ可読記憶媒体を含む。例示的な実施形態では、メモリデバイス１１２は、プロセッサ１１０が本明細書で説明する機能を遂行することを可能にするために、プロセッサ１１０により実行可能なデータおよび／または命令を含む（すなわち、プロセッサ１１０は命令によりプログラムされる）。
【００１４】
センサインターフェース１１４は、資産１０２の測定した動作状況を表す信号を受信するためにセンサ１０４に結合される。より具体的には、センサインターフェース１１４は、センサ１０４に対するワイヤレス接続を介して、および／または有線接続を介して、センサ１０４から信号を受信する。例示的な実施形態では、センサインターフェース１１４は、プロセッサ１１０によって使用するために、センサ１０４から受信した信号を変換かつ／または調整する。一実施形態では、センサインターフェース１１４は、センサ１０４から受信したアナログ信号を測定した動作状況を表すデジタルデータ（以降「資産測定データ」と呼ぶ）に変換するアナログデジタル変換器（ＡＤＣ）を含み、資産測定データはプロセッサ１１０に送信される。例示的な実施形態では、データ取得デバイス１０６は、受信した資産測定データに基づいて各々のシステム資産１０２のステータスを決定する。
【００１５】
通信インターフェース１１６は、限定はしないが、ネットワークインターフェースコントローラ（ＮＩＣ）、ネットワークアダプタ、トランシーバ、または、データ取得デバイス１０６が本明細書で説明するように動作することを可能にする任意の他の通信インターフェースもしくはデバイスを含み得る。例示的な実施形態では、通信インターフェース１１６は、任意の適した有線またはワイヤレスの、ネットワークおよび／または通信のプロトコルを使用してコンピューティングデバイス１０８に接続可能である。
【００１６】
データベース１１８は、測定データベース１２０および基準データベース１２２を含む。あるいはデータベース１１８は、任意の他のデータベースを含んでもよく、かつ／または、測定データベース１２０および基準データベース１２２は、１つのデータベース１１８に組み合わされてもよい。一実施形態では、データベース１１８は、１つまたは複数のメモリデバイス１１２の内部に含まれる。あるいはデータベース１１８は、ネットワーク接続ストレージ（ＮＡＳ）デバイス、外部ハードドライブ、リモートコンピューティングデバイス、および／または、データ取得デバイス１０６が本明細書で説明するように機能することを可能にする任意の他の記憶デバイスなど、１つまたは複数のリモート記憶デバイスの内部に含まれる。
【００１７】
例示的な実施形態では、プロセッサ１１０は、センサ１０４から受信した資産測定データを測定データベース１２０に記憶する。動作中、センサインターフェース１１４は、センサ１０４からセンサ測定信号を受信し、信号を資産測定データに変換し、資産測定データは、プロセッサ１１０により測定データベース１２０に記憶される。さらにプロセッサ１１０または別のデバイスは、各々のシステム資産１０２に対する基準データを基準データベース１２２に記憶する。各々のシステム資産１０２に対する基準データは、システム資産１０２に関する任意の適した基準データを含み得る。例えば基準データは、例えば特定のシステム資産１０２に対する製造業者の仕様に基づく、システム資産１０２の予期または予測される性能に基づくものでもよい。加えて、または代わりに、基準データは測定データに基づくものでもよい。一部の実施形態では、基準データは、特定のシステム資産１０２がシステム１００に新しく設置されたときに、および／またはその最良の状態で機能していたときに測定した、システム資産１０２に対する測定データから導出される。一部の実施形態では、ユーザは、システム資産１０２に対する任意の所望の測定データを、そのシステム資産１０２に対する基準データとして記憶することを選択することができる。
【００１８】
例示的な実施形態では、コンピューティングデバイス１０８は、データ取得デバイス１０６からデータを受信するために、かつ／または、システム資産１０２からの測定データの１つもしくは複数のグラフィカルプロットを表示するために、データ取得デバイス１０６に結合される。コンピューティングデバイス１０８は、メモリデバイス１２６、通信インターフェース１２８、ユーザ入力デバイス１３０、および表示装置１３２に結合されるプロセッサ１２４を含む。例示的な実施形態では、コンピューティングデバイス１０８は、ラップトップ、スマートフォン、携帯情報端末（ＰＤＡ）、タブレットコンピュータ、および／または、本明細書で説明するように機能する任意の他のデバイスなどモバイルデバイスである。あるいはコンピューティングデバイス１０８は、デスクトップコンピュータ、サーバコンピュータ、および／または、システム１００が本明細書で説明するように機能することを可能にする任意の他のコンピューティングデバイスである。一部の実施形態では、コンピューティングデバイス１０８およびデータ取得デバイス１０６を、単一のデバイスに組み合わせてもよい。
【００１９】
プロセッサ１２４は、１つまたは複数のシステム、ならびに、マイクロコントローラ、マイクロプロセッサ、縮小命令セット回路（ＲＩＳＣ）、特定用途向け集積回路（ＡＳＩＣ）、プログラマブル論理回路（ＰＬＣ）、フィールドプログラマブルゲートアレイ（ＦＰＧＡ）、および、本明細書で説明する機能を実行可能な任意の他の回路を含む、任意の適したプログラマブル回路を含む。上記の例は、単に例示的であり、したがって用語「プロセッサ」の定義および／または意味を限定することは決して意図されない。
【００２０】
メモリデバイス１２６は、限定はしないが、ランダムアクセスメモリ（ＲＡＭ）、フラッシュメモリ、ハードディスクドライブ、ソリッドステートドライブ、ディスケット、フラッシュドライブ、コンパクトディスク、デジタルビデオディスク、および／または任意の適したメモリなどコンピュータ可読記憶媒体を含む。例示的な実施形態では、メモリデバイス１２６は、プロセッサ１２４が本明細書で説明する機能を遂行することを可能にするために、プロセッサ１２４により実行可能なデータおよび／または命令を含む（すなわち、プロセッサ１２４は命令によりプログラムされる）。
【００２１】
通信インターフェース１２８は、限定はしないが、ネットワークインターフェースコントローラ（ＮＩＣ）、ネットワークアダプタ、トランシーバ、または、コンピューティングデバイス１０８が本明細書で説明するように動作することを可能にする任意の他の通信インターフェースもしくはデバイスを含み得る。例示的な実施形態では、通信インターフェース１２８は、任意の適した有線またはワイヤレスの、ネットワークおよび／または通信のプロトコルを使用してデータ取得デバイス１０６に接続可能である。
【００２２】
ユーザ入力デバイス１３０は、限定はしないが、キーボード、キーパッド、タッチセンシティブ画面、マウス、スクロールホイール、ポインティングデバイス、音声認識ソフトウェアを用いるオーディオ入力デバイス、ならびに／または、ユーザが、コンピューティングデバイス１０８にデータを入力することを、および／もしくは、コンピューティングデバイス１０８からデータを索出することを可能にする任意の適したデバイスを含む。表示装置１３２は、限定はしないが、液晶表示装置（ＬＣＤ）、真空蛍光表示管（ＶＦＤ）、陰極線管（ＣＲＴ）、プラズマ表示装置、発光ダイオード（ＬＥＤ）表示装置、１つもしくは複数のＬＥＤ、ならびに／または、ユーザにグラフィカルデータおよびテキストを表示可能な任意の適した視覚的出力デバイスを含む。一実施形態では、表示装置１３２は、例えばユーザが画面を通してデータおよび／またはコマンドを入力することを可能にすることにより、ユーザ入力デバイス１３０の態様を組み込むタッチセンシティブ画面であり得る。
【００２３】
例示的な実施形態では、プロセッサ１２４は、表示デバイス１３２上に、システム資産１０２に対する測定データから導出したシステム資産１０２に対する１つまたは複数の測定グラフィカルプロットを、ユーザ選択に応答して選択的に表示する、または表示されるようにする。測定プロットは一般に、システム資産１０２の第２の動作特性の関数としての、システム資産１０２の第１の動作特性のグラフィカルプロットである。例えばプロットは、動作の速度の関数としてシステム資産１０２の振動をグラフで示すことができる。システム資産１０２の任意の適した動作特性を選択することができる。一部の例示的な第１の動作特性は、限定はしないが、振動、圧力、および温度を含む。一部の例示的な第２の動作特性は、限定はしないが、速度、周波数、動作の長さ（時間）、および桁を含む。各々の測定グラフィカルプロットは、その測定グラフィカルプロットが導出される測定データが収集された瞬間または経過した期間に対応する。期間の長さは、様々な実施形態の間で、および／または特定のシステム資産１０２によって変動し得る。例えばデータは、特定のシステム資産１０２について１週間に１度、２４時間にわたって収集されてもよく、一方、別のシステム資産１０２に関するデータが、ひと月に１度、１週間全体にわたって収集される。期間内のデータの各々の収集物を、本明細書では基準データのサンプルと呼ぶ場合がある。加えて一部の実施形態では、基準データのサンプルを、より小さな期間のサンプルに細分化してもよい。したがってシステム資産１０２に対するデータを、実質的に連続的に収集し、必要に応じて時間単位、日単位、週単位、および／または月単位でサンプルに細分化してもよい。
【００２４】
さらにプロセッサ１２４は、表示デバイス１３２上に、システム資産１０２に関連する基準データから導出したシステム資産１０２に対する基準グラフィカルプロットを表示する、または表示されるようにする。基準グラフィカルプロットは、測定データから導出したグラフィカルプロットとしての、システム資産１０２の同じ第２の動作特性の関数としての、同じ第１の動作特性のグラフィカルプロットである。例示的な実施形態では、基準グラフィカルプロットは、測定グラフィカルプロットの上部にある状態で表示される。他の実施形態では、基準グラフィカルプロットは、測定グラフィカルプロットの下部にある場合がある。ユーザが、第２のサンプルを選択することなどにより第２の基準グラフィカルプロットを表示することを選択したとき、プロセッサ１２４は、基準グラフィカルプロットが、第２の測定プロットの上部にあるように、表示デバイス１３２上での基準グラフィカルプロットの表示を維持する。
【００２５】
以下でより詳細に説明するように、例示的な実施形態では、プロセッサ１２４は、表示デバイス１３２上に複数の測定プロットを同時に表示する。したがって、ユーザがシステム資産１０２に対する特定のサンプル期間のプロットを表示することを選択したとき、プロセッサは、１つまたは複数の追加的な測定プロットをさらに表示する。例示的な実施形態では、追加的な測定プロットは、直前および直後のサンプル期間の、１つまたは複数の測定プロットを含む。一部の実施形態では、選択したサンプル期間は、例えばハイライト表示すること、異なる色のトレースであること、および／または図像的指示物を有することなどにより、追加的なサンプル期間から視覚的に区別可能である。ユーザが選択した測定プロットは、基準プロットが測定プロットの上部にある状態の測定プロットであることによりさらに区別可能である。例示的な実施形態では、ユーザが異なるサンプルを選択したとき、測定プロットは、新しく選択したサンプル期間が基準プロットの下部にあるように位置変更する。他の実施形態では、基準プロットが、新しく選択したサンプルに対する測定プロットの上部にあるように移動する。
【００２６】
ユーザは、ユーザがその付近での詳細な情報を所望する、選択した測定プロット上の１つまたは複数の点を選択することができる。ユーザ選択に応答して、プロセッサ１２４は、第２の動作特性の選択した値での、測定プロットの第１の動作特性と基準グラフィカルプロットとの間の差の表現を表示する。例示的な実施形態では、差の表現は、選択した第２の動作特性の値での、測定プロットに対する第１の動作特性の大きさ、および、選択した第２の動作特性の値での、基準プロットに対する第１の動作特性の大きさの表示を含む。他の実施形態では、差の表現は、選択した第２の動作特性の値での、基準プロットと測定したプロットとの間の数値的な差の表示を含む。一部の実施形態では、表現は、選択した値での基準プロットと測定プロットとの間の差が既定のしきい値を超えるかどうかを図示することができる。
【００２７】
２つ以上の点が、追加的な情報の表示のためにユーザにより選択される場合がある。したがって、第２の動作特性の複数の値に対する差の情報が同時に表示されてもよい。一部の実施形態では、ユーザがカーソルを選択した測定プロットに沿って移動させる際、プロセッサは、選択した測定プロットと基準プロットとの間の差の表示を動的に更新する。さらに選択した点または複数の点は、ユーザが異なる測定プロットを表示のために選択したときに存続する。したがってそのような実施形態では、ユーザは、一連の測定プロットの初めから終わりまでスクロールし、第２の動作特性の選択した値での、各々の測定プロットと基準プロットとの間の差を観視することができる。
【００２８】
図２は、（図１に示す）システム１００により生成され得る例示的な表示２００である。例示的な実施形態では、表示２００は、第１の期間に対する測定データから導出した第１の測定グラフィカルプロット２０２、第２の期間に対する測定データから導出した第２の測定グラフィカルプロット２０４、および第３の期間に対する測定データから導出した第３の測定グラフィカルプロット２０６を含む。より具体的には図２において、第２の測定グラフィカルプロット２０４は、選択したプロットであり、基準グラフィカルプロット２０８が上部にある。例示的な実施形態は３つの測定グラフィカルプロット２０２、２０４、および２０６を含むが、他の実施形態は、より多い、またはより少ない測定グラフィカルプロットを含んでもよい。表示２００の第１の軸２１０は、選択したシステム資産１０２に対する第１の動作特性の大きさを表し、一方、第２の軸２１２は、選択したシステム資産１０２に対する第２の動作特性の値である。したがって、各々の測定グラフィカルプロット２０２、２０４、および２０６は、第２の動作特性の関数として、第１の動作特性の値をグラフィカルに図示する。測定グラフィカルプロット２０２、２０４、および２０６は、第３の軸２１４に沿って相互に離隔される。差確認部（ｄｉｆｆｅｒｅｎｃｅ  ｉｄｅｎｔｉｆｉｅｒ）２１６が、第２の動作特性の選択した値での、測定プロット２０４の第１の動作特性と基準グラフィカルプロット２０８との間の差を表す。表示する差は、基準グラフィカルプロットの値と測定プロット２０４との間の差の任意の適した指示であり得る。例えば差確認部は、差の値、変化百分率、および／または、基準グラフィカルプロットが、第２の動作特性の選択した値に対して測定プロット２０４より大きいか、それとも小さいかを提示してもよい。さらに一部の実施形態では、差確認部２１６は、加えて、または代わりに、測定プロット２０２、２０４、および２０６の近傍に位置する別々のデータボックスでのように、測定プロット２０２、２０４、および／または２０６から離れて表示されてもよい。
【００２９】
上記で説明したように、例示的な実施形態では、ユーザが異なるすなわち第２の測定プロットを選択したとき、表示される測定プロットは、選択したプロットが基準プロットの下部にあるように位置変更する。図３は、ユーザが第３の測定グラフィカルプロット２０６を選択した後の表示２００である。その結果プロット２０６は、基準グラフィカルプロット２０８の下部にあるように移動している。第２のグラフィカルプロット２０４は、前にグラフィカルプロット２０２により占有されていた第１の位置に位置変更する。第４のグラフィカル測定プロット２１８が、以前にプロット２０６により占有されていた位置に表示される。さらに差確認部２１６は、ユーザが第３の測定グラフィカルプロット２０６を選択した後も存続する。基準プロット２０８の値は同じままである。これに対して、第３の測定グラフィカル表示２０６の値はプロット２０４の値とは異なり、差確認部２１６により指示される値は、そのことに応じて変化している。
【００３０】
図４は、（図１に示す）システム１００により生成される別の例示的な表示３００である。例示的な表示３００では、基準線３０２が、第２の動作特性の選択した値３０４での基準プロット２０８の第１の動作特性の値から、選択した値３０４のユーザ選択に応答して延びる。基準線３０２は、基準プロット２０８から第２のプロット２０４および第４のプロット２１８に向かって、選択した値の第１および第２の動作特性座標に沿って延びる。差確認部３０６、３０８、および３１０が、第２の動作特性の選択した値での、測定プロット２０４、２０６、および２１８の第１の動作特性と基準グラフィカルプロット２０８との間の差の表現を提示する。表示する差は、基準グラフィカルプロットの値と測定プロット２０４、２０６、および／または２１８との間の差の任意の適した指示であり得る。例えば差確認部は、差の値、変化百分率、ならびに／または、基準グラフィカルプロットが、第２の動作特性の選択した値に対して測定プロット２０４、２０６および／もしくは２１８より大きいか、それとも小さいかを提示してもよい。さらに一部の実施形態では、差確認部３０６、３０８、３１０は、加えて、または代わりに、測定プロット２０４、２０６、および２１８の近傍に位置するデータボックス３１２でのように、測定プロット２０４、２０６および２１８から離れて表示されてもよい。
【００３１】
本明細書で説明したシステムおよび方法の技術的効果は、（ａ）表示デバイス上で、システム資産の第１の動作特性の第１のプロットを、第２の動作特性の関数として、第１のプロットを表示するためのユーザ選択に応答して表示すること、（ｂ）表示デバイス上で、システム資産の第１の動作特性の基準グラフィカルプロットを、第２の動作特性の関数として、複数のグラフィカルプロットの第１のプロットの上部にある状態で表示すること、および、（ｃ）ユーザが複数のグラフィカルプロットの第２のプロットを選択したときに、表示デバイス上での基準グラフィカルプロットの表示を維持し、基準グラフィカルプロットが、第２のプロットの上部にある状態で表示されることのうちの少なくとも１つを含む。
【００３２】
本明細書で説明したシステムは、システム資産に対する動作情報を効率的かつ健全に表示する。システム資産に対する測定データのグラフィカルプロットが、永続的な基準プロットとともにプロットされる。ユーザが表示するための異なるプロットを選択したとき、選択したプロットは、基準プロットの下部にある状態で表示される。したがってユーザは、基準プロットが常に選択したプロットの上部にある状態で、プロットの初めから終わりまでスクロールすることができる。さらに、選択したプロットと基準プロットとの間の差を確認する、１つまたは複数の差確認部を表示することができる。これらの差確認部は、基準プロットとともに存続し、表示すべき異なるプロットをユーザが選択する際に動的に更新する。したがってユーザは、プロットの初めから終わりまでスクロールすることができ、特定の値に対するプロットと基準プロットとの間の差の情報を連続的に有することができる。このように本明細書で説明したシステムは、既知の監視システムより効率的な様式でシステム資産の検討、トラブルシューティング、および分析を容易にする。
【００３３】
複数のシステム資産の動作を監視する際に使用するための方法および装置の例示的な実施形態を、上記で詳細に説明している。この方法および装置は、本明細書で説明した具体的な実施形態に限定されるのではなく、むしろ、装置の構成要素および／または方法のステップは、本明細書で説明した他の構成要素および／またはステップから独立して、かつ別々に利用することができる。例えばコンピューティングデバイスは、他のシステムおよび方法と組み合わせて使用される場合もあり、本明細書で説明したようなシステムまたはデータ取得デバイスのみとともに実践することに限定されない。むしろ例示的な実施形態を、多くの他の電力システムまたは工業用の用途と連関して実装かつ利用することができる。
【００３４】
本発明の様々な実施形態の具体的な特徴部を、一部の図面に示し、他の図面には示さない場合があるが、これは単に便宜のためである。本発明の原理にしたがって、図面の任意の特徴部を、任意の他の図面の任意の特徴部と組み合わせて参照かつ／または請求することができる。
【００３５】
記述した本説明では、最良の形態を含めて本発明を開示するために、さらには、任意のデバイスまたはシステムを作製かつ使用すること、および任意の組み込まれた方法を遂行することを含めて、本発明を実践することを当業者なら誰でも可能にするために例を使用する。本発明の特許的な範囲は、特許請求の範囲により定義され、当業者が想到する他の例を含み得る。そのような他の例は、それらの例が、特許請求の範囲の文字通りの文言と異ならない構造要素を有する場合、またはそれらの例が、特許請求の範囲の文字通りの文言と実質的な違いのない等価の構造要素を含む場合、特許請求の範囲の範囲内にあることが意図される。
【符号の説明】
【００３６】
１００  システム
１０２  システム資産
１０４  センサ
１０６  データ取得デバイス
１０８  コンピューティングデバイス
１１０  プロセッサ
１１２  メモリデバイス
１１４  センサインターフェース
１１６  通信インターフェース
１１８  データベース
１２０  測定データベース
１２２  基準データベース
１２４  プロセッサ
１２６  メモリデバイス
１２８  通信インターフェース
１３０  ユーザ入力デバイス
１３２  表示デバイス
２００  表示
２０２  測定グラフィカルプロット
２０４  第２の測定グラフィカルプロット
２０６  第３の測定グラフィカルプロット
２０８  基準グラフィカルプロット
２１０  第１の軸
２１２  第２の軸
２１４  第３の軸
２１６  差確認部
２１８  第４のグラフィカル測定プロット
３００  表示
３０２  基準線
３０４  選択した値
３０６  差確認部
３０８  差確認部
３１０  差確認部
３１２  データボックス
【図１】
2013225303.tif 000003
【図２】
2013225303.tif 000004
【図３】
2013225303.tif 000005
【図４】
2013225303.tif 000006
【外国語明細書】
2013225303000001.pdf